(57)【特許請求の範囲】
【請求項１】
動画像配信システムと動画像編集端末とがコンピュータネットワークを介して接続されたコンピュータシステムであって、
前記動画像編集端末が、
１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示する再生手段と、
前記動画像の編集指示を受け付ける編集指示受付手段と、
前記編集指示を受け付けた場合に、前記読み込んだスケジュール情報と同一のスケジュール情報の前記スケジュール情報記憶手段からの新たな読み込みを行うスケジュール情報読み込み手段と、
編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示する番組構成表示手段と、
前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付ける編集手段と、
登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する新規番組登録手段と、
を備えることを特徴とするコンピュータシステム。
【請求項２】
前記動画像配信システムが、
前記スケジュール情報で特定される動画像ファイルの動画像と、当該動画像に合成する前記合成データと、のそれぞれの参照可否情報を記憶する参照可否情報記憶手段と、
前記参照可否情報において参照不可と指定されている前記動画像ファイルまたは前記合成データを指定する情報を削除したスケジュール情報を前記動画像編集端末へ送信する動画像配信管理手段と、
を備えることを特徴とする請求項１に記載のコンピュータシステム。
【請求項３】
前記新規番組登録手段は、編集後のスケジュール情報と、編集であることを示す識別子の引数と、編集したユーザの種別を示す引数であって編集前のスケジュール情報に含まれる動画像ファイルによる番組を作成したユーザであるか、またはそれ以外の他ユーザであるかを示す引数とを含む番組登録要求を前記動画像配信システムへ送信し、
前記動画像配信管理手段は、
前記番組登録要求を受信して、当該番組登録要求に、編集であることを示す識別子の引数が格納され、かつ、編集したユーザの種別を示す引数について他ユーザであることを示す引数が格納されている場合には、新たなスケジュール識別子を生成して、当該生成したスケジュール識別子と、前記番組登録要求に含まれるスケジュール情報とを対応付けて前記スケジュール情報記憶手段へ記録し、前記番組登録要求に、編集であることを示す識別子の引数が格納され、かつ、編集したユーザの種別を示す引数について編集前のスケジュール情報に含まれる動画像ファイルによる番組を作成したユーザであることを示す引数が格納されている場合には、前記番組登録要求に含まれるスケジュール情報が示すスケジュール識別情報に基づいて前記スケジュール情報記憶手段に記録されているスケジュール情報を更新する
ことを特徴とする請求項２に記載のコンピュータシステム。
【請求項４】
動画像配信システムと動画像編集端末とがコンピュータネットワークを介して接続されたコンピュータシステムにおける動画像編集方法であって、
前記動画像編集端末が、
再生手段が、１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示し、
編集指示受付手段が、前記動画像の編集指示を受け付け、
スケジュール情報読み込み手段が、前記編集指示を受け付けた場合に、前記読み込んだスケジュール情報と同一のスケジュール情報の前記スケジュール情報記憶手段からの新たな読み込みを行い、
番組構成表示手段が、編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示し、
編集手段が、前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付け、
新規番組登録手段が、登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する
ことを特徴とする動画像編集方法。
【請求項５】
動画像配信システムと動画像編集端末とがコンピュータネットワークを介して接続されたコンピュータシステムにおける前記動画像編集端末のコンピュータを、
１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示する再生手段、
前記動画像の編集指示を受け付ける編集指示受付手段、
前記編集指示を受け付けた場合に、前記読み込んだスケジュール情報と同一のスケジュール情報の前記スケジュール情報記憶手段からの新たな読み込みを行うスケジュール情報読み込み手段、
編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示する番組構成表示手段、
前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付ける編集手段、
登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する新規番組登録手段、
として機能させるためのプログラム。
【請求項６】
動画像配信システムと動画像編集端末とがコンピュータネットワークを介して接続されたコンピュータシステムにおける前記動画像編集端末であって、
１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示する再生手段と、
前記動画像の編集指示を受け付ける編集指示受付手段と、
前記編集指示を受け付けた場合に、前記読み込んだスケジュール情報と同一のスケジュール情報の前記スケジュール情報記憶手段からの新たな読み込みを行うスケジュール情報読み込み手段と、
編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示する番組構成表示手段と、
前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付ける編集手段と、
登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する新規番組登録手段と、
を備えることを特徴とする動画像編集端末。
【発明の詳細な説明】
【技術分野】
【０００１】
本発明は、動画像の編集を行うコンピュータシステム、動画像編集方法、プログラム、動画像編集端末に関する。
【背景技術】
【０００２】
近年、インターネットを介して動画像を配信するサービスが多く提供されている。このような動画像の配信サービスにおいては、あるユーザが登録した動画像を、他のユーザの操作する端末へ配信するサービスが存在し、インターネットを利用するユーザは他人の作成した動画像を自身の操作する端末で観ることにより、楽しむことができる。
【０００３】
ここで、他人の作成した動画像を、自由に編集して自らが配信する動画像として新たに登録するサービスの提供が現在検討されている。このようなサービスを用いた場合には、例えば、他人の作成した動画像を、自分の店を宣伝するコマーシャルとして編集および登録してインターネットに接続された多くの端末に配信するといった利用形態が生まれる。また、他人の作成した動画像を自由に編集することができれば、自分の店の店名やサービス概要などを動画データに合成して、配信することができ、動画像の作成を行うことのできないユーザが、他人が作成した動画像を有効利用することができることとなる。またこのようなサービスにおいて、他人の作成した動画像データを複数組み合わせるなどして番組を作成し、番組内の各動画像データに基づく動画像に合成データを合成させて、編集ユーザの番組として配信し、他のユーザに視聴させることもできる。なお、動画像の配信および動画像の編集に関連する技術として、特許文献１の技術が開示されている。
【特許文献１】特開２００３−１３４４４６号公報
【発明の開示】
【発明が解決しようとする課題】
【０００４】
ところで上述のような、他人の作成した動画像データを利用して新たな動画像データを編集できるようなサービスが提供された場合には、その編集作業の効率性や容易性を向上させることが望まれている。例えば、他人の作成した番組を元に、より良い番組へと編集する作業を行いたいユーザがいるような場合には、そのユーザの編集作業において容易にまた効率よく作業できるような環境を備えることにより、ある番組から様々な関連番組が作成されて閲覧可能となるような新たなメディアサービスを提供することができるようになる。
【０００５】
そこでこの発明は、他人の作成した動画像データを利用して新たな動画像データを編集できるようなサービスにおいて、その編集作業の効率性や容易性を向上させることのできるコンピュータシステム、動画像編集方法、プログラム、動画像編集端末を提供することを目的としている。
【課題を解決するための手段】
【０００６】
上記目的を達成するために、本発明は、動画像配信システムと動画像編集端末とがコンピュータネットワークを介して接続されたコンピュータシステムであって、前記動画像編集端末が、１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示する再生手段と、前記動画像の編集指示を受け付ける編集指示受付手段と、前記編集指示を受け付けた場合に、前記読み込んだスケジュール情報と同一のスケジュール情報の前記スケジュール情報記憶手段からの新たな読み込みを行うスケジュール情報読み込み手段と、編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示する番組構成表示手段と、前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付ける編集手段と、登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する新規番組登録手段と、を備えることを特徴とするコンピュータシステムである。
【０００７】
また本発明は、上述のコンピュータシステムにおいて、前記動画像配信システムが、前記スケジュール情報で特定される動画像ファイルの動画像と、当該動画像に合成する前記合成データと、のそれぞれの参照可否情報を記憶する参照可否情報記憶手段と、前記参照可否情報において参照不可と指定されている前記動画像ファイルまたは前記合成データを指定する情報を削除したスケジュール情報を前記動画像編集端末へ送信する動画像配信管理手段と、を備えることを特徴とする。
また本発明は、上述のコンピュータシステムにおいて、前記新規番組登録手段は、編集後のスケジュール情報と、編集であることを示す識別子の引数と、編集したユーザの種別を示す引数であって編集前のスケジュール情報に含まれる動画像ファイルによる番組を作成したユーザであるか、またはそれ以外の他ユーザであるかを示す引数とを含む番組登録要求を前記動画像配信システムへ送信し、前記動画像配信管理手段は、前記番組登録要求を受信して、当該番組登録要求に、編集であることを示す識別子の引数が格納され、かつ、編集したユーザの種別を示す引数について他ユーザであることを示す引数が格納されている場合には、新たなスケジュール識別子を生成して、当該生成したスケジュール識別子と、前記番組登録要求に含まれるスケジュール情報とを対応付けて前記スケジュール情報記憶手段へ記録し、前記番組登録要求に、編集であることを示す識別子の引数が格納され、かつ、編集したユーザの種別を示す引数について編集前のスケジュール情報に含まれる動画像ファイルによる番組を作成したユーザであることを示す引数が格納されている場合には、前記番組登録要求に含まれるスケジュール情報が示すスケジュール識別情報に基づいて前記スケジュール情報記憶手段に記録されているスケジュール情報を更新することを特徴とする。
【０００８】
また本発明は、動画像配信システムと動画像編集端末とがコンピュータネットワークを介して接続されたコンピュータシステムにおける動画像編集方法であって、前記動画像編集端末が、再生手段が、１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示し、編集指示受付手段が、前記動画像の編集指示を受け付け、スケジュール情報読み込み手段が、前記編集指示を受け付けた場合に、前記読み込んだスケジュール情報と同一のスケジュール情報の前記スケジュール情報記憶手段からの新たな読み込みを行い、番組構成表示手段が、編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示し、編集手段が、前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付け、新規番組登録手段が、登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録することを特徴とする動画像編集方法である。
【０００９】
また本発明は、動画像配信システムと動画像編集端末とがコンピュータネットワークを介して接続されたコンピュータシステムにおける前記動画像編集端末のコンピュータを、１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示する再生手段、前記動画像の編集指示を受け付ける編集指示受付手段、前記編集指示を受け付けた場合に、前記読み込んだスケジュール情報と同一のスケジュール情報の前記スケジュール情報記憶手段からの新たな読み込みを行うスケジュール情報読み込み手段、編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示する番組構成表示手段、前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付ける編集手段、登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する新規番組登録手段、として機能させるためのプログラムである。
また本発明は、動画像配信システムと動画像編集端末とがコンピュータネットワークを介して接続されたコンピュータシステムにおける前記動画像編集端末であって、１つ以上の動画像ファイルと、それら動画像に合成表示する合成データと、前記動画像ファイルの再生順と、前記合成データの前記動画像への合成タイミングと、前記動画像ファイル、前記合成データ、前記再生順、前記合成タイミングに基づく動画像の番組を編集したユーザの識別情報と、を指定するスケジュール情報を、前記動画像配信システムのスケジュール情報記憶手段より読み込んで、前記動画像ファイルを、前記再生順に再生すると共に、その再生中の動画像に、指定された前記合成データを前記合成タイミングで合成表示する再生手段と、前記動画像の編集指示を受け付ける編集指示受付手段と、前記編集指示を受け付けた場合に、前記読み込んだスケジュール情報と同一のスケジュール情報の前記スケジュール情報記憶手段からの新たな読み込みを行うスケジュール情報読み込み手段と、編集用画面を表示し、当該編集用画面内の再生リスト欄に、新たに読み込んだスケジュール情報に含まれる１つまたは複数の動画像ファイルの識別情報に対応する動画像ファイルのサンプル画像を表示すると共に、前記動画像ファイルの再生開始時刻からの経過時間を示す再生時間帯の間のどの時間に合成データを合成するかの合成タイミングをユーザに設定させる前記編集用画面内のインジケータの合成時間の位置に、前記新たに読み込んだスケジュール情報に含まれる合成データの識別情報に対応する合成データのサンプル画像を表示する番組構成表示手段と、前記スケジュール情報の指定する合成データの追加、変更、削除、または、当該追加、変更、削除の後のスケジュール情報の指定する合成データのサンプル画像の前記インジケータにおける合成時刻の位置の変更による合成タイミングの変更の少なくとも何れかを示す編集指示を受け付ける編集手段と、登録指示を受け付けた場合に、前記編集指示を受け付けた後の、前記動画像に合成する前記合成データと、その合成データの前記動画像における合成タイミングと、前記編集指示を行った新たなユーザの識別情報とを含むスケジュール情報を、前記スケジュール情報記憶手段へ登録する新規番組登録手段と、を備えることを特徴とする動画像編集端末である。
【発明の効果】
【００１０】
本発明によれば、元の番組を作成したユーザ以外の他のユーザが、番組内の動画像データを端末で再生し、その動画像について編集して、新たな番組として登録する際に、当該端末を利用する編集者となるユーザの作成した番組として、自動的に登録される。従って、あるユーザが、他のユーザの作成した番組の編集を行うような場合における、編集作業後の番組登録時に、自身の編集した番組として登録する作業効率を向上させることができる。
【００１１】
また、本発明によれば、元の番組を作成したユーザ以外の他のユーザが、番組内の動画像データを端末で再生し、その動画像について編集して、編集元の番組に基づく新たな番組を作成しようとした際に、元の番組の構成、つまり動画像データが幾つ含まれているか、どの動画像にどの合成データがどの合成タイミングで表示されるのかの、番組の構成が、編集用画面によって瞬時に、また容易に把握することができる。これによって、元の番組構成を手本として、編集した他の新たな番組を容易に作成することができるため、ユーザの編集作業の効率性と容易性を向上させることができる。
【００１２】
また、本発明によれば、編集用画面を利用して、合成データのサンプル画像の合成タイミングを移動するだけで、番組内の動画像データに基づく動画像に、元の番組とは異なる合成タイミングでの合成データの合成をさせる編集処理を容易に行うことができる。
【００１３】
また、他人の作成した番組を元に、より良い番組へと編集する作業を行いたいユーザがいるような場合には、その元の番組の動画像データや合成データの選択や、合成データの合成タイミングの設定を、一からやり直す必要がなく、元の番組に自分の味付けを行うことができるので、そのユーザの編集作業において容易にまた効率よく作業できるような環境を備えることができ、ある番組から様々な関連番組が作成されて閲覧可能となるような新たなメディアサービスを提供することができるようになる。
【発明を実施するための最良の形態】
【００１４】
以下、本発明の一実施形態による動画像編集装置を図面を参照して説明する。図１は同実施形態による動画像編集装置を備えた動画像配信システムの構成を示す図である。
この図において、符号１は動画像配信管理サーバであり、ウェブサーバの機能、動画像編集機能、等を備えている。また２はアップロードサーバであり、ユーザが操作する端末６より動画像配信管理サーバ１が受信した動画像データや合成データ（写真データ、テキストデータ、エフェクトデータ）などのアップロード対象のデータを当該動画像配信管理サーバ１から受付けて、他のサーバへ登録する処理を行う。また３は番組サーバであり、ユーザが端末６を操作して動画像配信管理サーバ１へアクセスして作成した、番組内の動画像を配信するために必要であるスケジュール情報を記憶する。また４はデータ記憶サーバであり、動画像データやその動画像データに端末上で合成させる合成データのＩＤや、それらデータをアップロードしたユーザのＩＤや、それらデータの記憶先の情報を記憶する。また５は配信サーバであり、データ記憶サーバ４で記憶している動画像データや合成データを端末６へ配信する。
【００１５】
本実施形態による動画像配信システムでは、端末６からアップロードされた動画像データと、その動画像データに合成させる合成データとを、データ記憶サーバ４に記憶させ、その動画像データに合成データを合成した動画像を、通信ネットワークを介して動画像配信システムに接続された多くの端末６上で再生させる機能を有する。また動画像配信システムでは、端末６から登録された動画像データを、その動画像を登録したユーザとは異なるユーザが端末６を用いて編集できる機能と、その編集後の動画像データをシステム上に新たに登録させ、通信ネットワークを介して動画像配信システムに接続されている多くの端末６に閲覧させる機能を有する。また、動画像配信システムでは、登録されている一つまたは複数の動画像データを用いてユーザに番組を作成させ、その番組を、通信ネットワークを介して動画像配信システムに接続されている多くの端末６に配信する機能を有する。
【００１６】
そして、そのような動画像配信システムにおいて、動画像配信管理サーバ１は、端末６からの動画像データの指定と、合成データ（動画像に合成するテキストデータや写真データやエフェクトデータ。なお、エフェクトデータとは、動画像上に何らかの動きを与えるためのデータであり、爆発時の炎の動きを表現した画像、小さな星が空中を舞っている動きを表現した画像、など様々である）と、動画像への合成データの合成タイミング（動画像の再生開始からの経過時刻）と、の指定を少なくとも受付けて、当該指定された動画像データと合成データの識別情報と、それら動画像データと合成データを端末６上で再生する番組の識別情報（下記の処理の詳細な説明においてはスケジュールＩＤと呼ぶ）と、その動画像データへ合成データを合成して端末６上で再生する合成タイミングと、を少なくとも格納した番組情報（下記の処理の詳細な説明においてはスケジュール情報と呼ぶ）を生成する。そして、動画像配信管理サーバ１は、端末６を操作するユーザの識別情報（ユーザＩＤなど）や番組のスケジュールＩＤに対応付けて、生成したスケジュール情報を番組サーバ３（スケジュール情報記憶手段）へ登録する。
【００１７】
また、動画像配信管理サーバ１は、番組を再生する端末６からの動画像再生要求時に、当該端末６から番組のスケジュールＩＤを受付ける。そして、動画像配信管理サーバ１は、番組のスケジュールＩＤで指定される動画像データと合成データとを、サーバから読み込ませる処理を、端末６に実行させる再生開始用プログラムと、番組のスケジュールＩＤや、番組内で再生させる動画像データのＩＤや、その動画像データの動画像に合成する合成データの識別情報（以下、合成データＩＤと呼ぶ）や、合成データの動画像への合成タイミング等を格納したスケジュール情報とを、当該番組を再生する端末６へ送信する。端末６は、再生開始用プログラムとスケジュール情報とに基づいて、動画像データと合成データとを配信サーバ５より読み込んで、当該動画像データの動画像へ合成タイミングに基づいて合成データを合成して表示する処理を行う。
【００１８】
図２は動画像配信管理サーバの機能ブロック図である。
この図が示すように、動画像配信管理サーバ１は、端末６や他のサーバと情報を送受信する通信処理部１１、動画像配信管理サーバ１の各処理部を制御する制御部１２、動画像データのシステムへのアップロードや削除を管理するアップロード管理部１３、端末６からの指示に基づいて動画像データの編集処理を行う動画像編集処理部１４、端末６からの指示に基づいて動画像の配信処理の管理を行う動画像配信管理部１５、各種情報を記憶する記憶部１６を備えている。なお、本実施形態において動画像の編集とは、既に登録（アップロード）された動画像データに合成する合成データや、その合成データの動画像における合成タイミングの指定を受付けて、その動画像データや合成データや合成タイミングの情報をユーザごとに登録する処理を言う。
【００１９】
図３はスケジュール情報を示す図である。
この図が示すようにスケジュール情報内には、番組を特定するスケジュールＩＤや、番組を作成したユーザのユーザＩＤや、その番組内で再生される動画像データのＩＤや、どの動画像データに合成される合成データのＩＤや、各合成データの動画像データの再生時間長における合成タイミングの時刻、動画像データの再生時間帯などからなる時間割情報が格納されている。スケジュール情報は、ユーザが作成した番組ごとに生成されて番組サーバ３に記録されているものとする。
【００２０】
図４は端末の機能ブロック図である。
図４が示すように、端末６は、通信ネットワークを介してサーバ等と通信を行う通信処理部２１、端末６の各処理部を制御する制御部２２、マウスやモニタなどの入力装置との情報送受信を行う入出力部２３、番組内の動画像を再生する動画像再生処理部２４、番組内の動画像の編集指示を受け付ける編集指示受付部２５、サーバ等からスケジュール情報を読み込むスケジュール情報読み込み部２６、編集時の番組の構成をモニタに表示する番組構成表示部２７、編集処理を行う編集処理部２８、変更後の番組の情報を登録する新規番組登録部２９を少なくとも備えている。
【００２１】
図５は番組再生処理の処理フローを示す図である。
次に図５を用いて動画像配信システムにおける番組再生の処理について説明する。
ユーザが、端末６を用いて動画像配信管理サーバ１にアクセスする操作を行うと、動画像配信管理サーバ１は、ウェブページを端末６に送信する。このウェブページにおいて、ユーザが動画像配信開始用のウェブページに移動すると、そのウェブページには、登録された番組内のある一つの動画像データに対応するサンプル画像が、番組ごとに一覧表示されている。このウェブページに表示されている各番組を示すサンプル画像それぞれは、あるユーザが作成した元の動画像データを保持する番組を示す場合や、元の動画像データが他のユーザによって編集された編集後の動画像データを保持する番組を示す場合など様々であり、端末６上でサンプル画像が指定されることにより、そのサンプル画像に対応する番組が端末６で再生されることとなる。
【００２２】
そして、ユーザが番組を再生したいと考えた際に、端末６は、ある一つのサンプル画像（端末６を利用するユーザとは異なる他のユーザが編集した番組内の動画像データに対応するサンプル画像）に対する動画像データの再生指示の入力をユーザから受付け（ステップＳ２０１）、動画像配信管理サーバ１へ、指定されたサンプル画像に対応する番組のスケジュールＩＤを格納した動画像再生要求を送信する（ステップＳ２０２）。そして、動画像配信管理サーバ１の動画像配信管理部１５は、動画像再生要求に格納されているスケジュールＩＤを読み取り、そのスケジュールＩＤの番組の再生開始用プログラムを生成して、端末６へ送信する（ステップＳ２０３）。ここで、この再生開始用プログラムは、スケジュール情報を動画像配信管理サーバ１に要求して、そのスケジュール情報を読み込ませる処理を端末６に開始させるためのプログラムである。また、さらに、再生開始用プログラムは、番組として指定された動画像データを再生させる処理、番組として指定された動画像データとその合成データとのそれぞれを配信サーバ５から再取得させる処理、番組として指定された１つまたは複数の動画像データのサンプル画像を、番組を再生する端末６の画面に表示させる処理、番組として指定された動画像データが複数の場合にはそれら複数の動画像データを連続して順に再生させる処理、などを端末６に実行させるプログラムである。
【００２３】
なお、端末６は、動画像データのストリーミングを受けた場合には、そのストリーミングのデータに基づいて再生動画像を構築して端末６の画面の動画像表示領域に表示させ、また編集指示に基づいて動画像の編集処理を行う動画像再生・編集プログラムを予め記憶しており、その動画像再生・編集プログラムは端末６上で実行されると、図４で示したように、端末６内に動画像再生処理部２４、編集指示受付部２５、スケジュール情報読み込み部２６、番組構成表示部２７、編集処理部２８、新規番組登録部２９が構成される。
【００２４】
端末６の動画像再生処理部２４は、端末６における再生開始用プログラムの受信を検出すると、その再生開始用プログラムに格納されているスケジュールＩＤを読み込んで（ステップＳ２０４）、当該スケジュールＩＤを格納したスケジュール情報送信要求を、動画像配信管理サーバ１へ送信する（ステップＳ２０５）。そして、動画像配信管理サーバ１の動画像配信管理部１５は、スケジュール情報送信要求に格納されているスケジュールＩＤを読み取って、番組サーバ３へ転送する（ステップＳ２０６）。番組サーバ３はスケジュールＩＤを受信すると、そのスケジュールＩＤに対応付けて格納しているスケジュール情報を動画像配信管理サーバ１へ返信する（ステップＳ２０７）。そして動画像配信管理サーバ１の動画像配信管理部１５は、番組サーバ３から返信を受けたスケジュール情報を端末６へ送信する（ステップＳ２０８）。
【００２５】
次に、端末６でスケジュール情報を受信すると、端末６内の動画像再生処理部２４は、スケジュール情報をメモリ等に記録するとともに、スケジュール情報に格納されている動画像データＩＤ、合成データＩＤ等を取得する（ステップＳ２０９）。そして、少なくとも動画像データＩＤと合成データＩＤとを格納した動画像配信要求を配信サーバ５へ送信する（ステップＳ２１０）。配信サーバ５は、動画像配信要求を受信すると、その動画像配信要求に格納されている動画像データＩＤと合成データＩＤと、端末６の送信先（ＩＰアドレスなど）を読み取って、当該読み取った、動画像データＩＤと合成データＩＤとに基づいて、記憶している動画像データと合成データとを取得する。そして動画像データを端末６のＩＰアドレス宛にストリーミングにより配信するとともに（ステップＳ２１１）、合成データを端末６へ送信する（ステップＳ２１２）。
【００２６】
次に、端末６の動画像再生処理部２４は、配信サーバ５から送信されるストリーミングデータのパケットを受信して、複数のパケットにより、順次、動画像を構築して、画面上の動画像再生領域へ表示する（ステップＳ２１３）。これにより動画像が再生される。また端末６の動画像再生処理部２４は、配信サーバ５から受信した合成データの合成タイミングの時刻をスケジュール情報に格納されている情報内から検出し、動画像の再生開始の時間から経過した時刻が、検出した合成タイミング時刻になったかを判定する（ステップＳ２１４）。そして、動画像の再生開始の時間から経過した時刻が、検出した合成タイミング時刻になったと判定すると、合成データを画面上の動画像再生領域へ表示する（ステップＳ２１５）。これにより合成データが動画像データに合成されて表示される。なお、この表示されている動画像の番組は、他人が作成したものである。
【００２７】
図６は番組表示画面のインタフェースを示す図である。
この図で示すように、動画像表示画面は、動画像再生領域ａやボタン表示領域ｂを備えている。そしてボタン表示領域ｂには編集ボタンが表示されており、ユーザは端末６に接続されたマウスやキーボード等の入力装置を用いて、端末６のモニタに表示されているカーソルに合わせて、編集ボタンを押下することにより、再生中の番組における動画像データの編集を行うことができる。ここでいう編集とは、上述したように、番組内に含まれる１つ以上動画像データや、それら動画像データに合成する合成データの追加、変更、削除、または、合成データの合成タイミングの変更の処理である。そして、端末６に表示されている他人の利用した番組の動画像において、ユーザがこの番組を編集して異なる番組を作成したいと考えた場合には、動画像表示画面における編集ボタンを押下することにより、編集を行うことが可能となる。
【００２８】
図７は番組編集処理の処理フローを示す第１の図である。
図８は番組編集処理の処理フローを示す第２の図である。
次に、図７を用いて番組編集処理について説明する。
まず、指定した番組内の動画像データの再生中や再生後において、端末６の動画像表示画面に表示されている編集ボタンが押下されると、端末６の編集指示受付部２５は、その編集指示の入力を検出する（ステップＳ３０１）。すると、端末６のスケジュール情報読み込み部２６が、端末６を利用しているユーザのユーザＩＤを格納した編集アプリケーションプログラムの起動要求を動画像配信管理サーバ１へ行う（ステップＳ３０２）。
【００２９】
なおこの起動要求は具体的には、動画像配信管理サーバ１のＵＲＬに、編集であることを示す識別子を示す引数を加えた情報が、動画像配信管理サーバ１に送信されることにより、動画像配信管理サーバ１が編集アプリケーションプログラムの起動要求であることを検出する。また、ＵＲＬに加える引数には、さらに、端末６から送信された編集アプリケーションプログラムの起動要求が、番組を作成したユーザ自身からの起動要求か、または番組を作成したユーザ以外のユーザからの起動要求かを示す識別子が付け加えられる。これにより、動画像配信管理サーバ１の動画像編集処理部１４は、編集アプリケーションプログラムの起動要求が、端末６で再生している動画像の番組を作成したユーザ、またはそのユーザ以外の他のユーザの、どちらかから受け付けているかを検知する。本実施形態においては、端末６で再生している動画像の番組を作成したユーザ以外の、他のユーザから編集アプリケーションプログラムの起動要求を受け付けた場合について以下説明する。
【００３０】
次に、動画像配信管理サーバ１の動画像編集処理部１４は、編集アプリケーションプログラムの起動要求からユーザＩＤを検出し、当該ユーザＩＤに基づいて認証を行い（ステップＳ３０３）、認証がＯＫであれば編集アプリケーションプログラムの起動許可を端末６へ送信する（ステップＳ３０４）。すると端末６の編集処理部が編集アプリケーションプログラムを起動し、編集用画面をモニタに表示する（ステップＳ３０５）。また端末６のスケジュール情報読み込み部２６が、メモリ等に記憶している番組のスケジュール情報からスケジュールＩＤを読み取り、当該スケジュールＩＤを格納したスケジュール情報送信要求を動画像配信管理サーバ１へ送信する（ステップＳ３０６）。
【００３１】
次に、動画像配信管理サーバ１の動画像配信管理部１５は、スケジュール情報送信要求を受信すると、当該スケジュール情報送信要求に格納されているスケジュールＩＤを読み取って、番組サーバ３へ転送する（ステップＳ３０７）。番組サーバ３はスケジュールＩＤを受信すると、そのスケジュールＩＤに対応付けて格納しているスケジュール情報を動画像配信管理サーバ１へ返信する（ステップＳ３０８）。次に、動画像配信管理サーバ１の動画像配信管理部１５は、番組サーバ３から受信したスケジュール情報に格納されている動画像データのデータ存在有無、閲覧権限フラグ、参照許可フラグや、合成データのデータ存在有無、閲覧権限フラグ、参照許可フラグを読み取る。ここで、閲覧権限フラグは端末６を利用するユーザに閲覧権限が有るか否かを示す情報であり、また参照許可フラグは、スケジュール情報で示される番組を作成したユーザが動画像データや合成データなどの番組内データへの他者の参照を許可しているか否かを示す情報である。そして、動画像配信管理部１５は、データ存在有無が「無し」を示すか、閲覧権限フラグが「閲覧不可」を示すか、参照許可フラグが「参照不可」を示すか、の何れか１つが当てはまる動画像データのＩＤや、合成データのＩＤ以外のＩＤを検出し、そのＩＤをスケジュール情報から削除する（ステップＳ３０９）。そして、動画像配信管理サーバ１の動画像配信管理部１５は、スケジュール情報を端末６へ送信する（ステップＳ３１０）。
【００３２】
次に、端末６では、スケジュール情報を受信すると、端末６内の番組構成表示部２７が、スケジュール情報をメモリ等に記録・更新するとともに、スケジュール情報に格納されている動画像データＩＤや合成データＩＤを読み取って、それらＩＤに対応するサンプル画像をスケジュール情報と共に動画像配信管理サーバ１送られてきた設定ファイル等から取得し、動画像データのサンプル画像を当該編集用画面における番組の再生リスト欄に表示し、また、合成データＩＤに対応する合成データのサンプル画像を、動画像の再生時間帯における合成タイミングを示すインジケータ内に表示することにより、編集用画面内に、番組構成を表示する（ステップＳ３１１）。なお、編集用画面の詳細については後述する。
【００３３】
また、端末６の動画像再生処理部２４が、スケジュール情報に格納されている動画像データＩＤと、合成データＩＤとを格納した動画像配信要求を配信サーバ５へ送信する（ステップＳ３１２）。配信サーバ５は、動画像配信要求を受信すると、その動画像配信要求に格納されている動画像データＩＤと合成データＩＤと、端末６の送信先（ＩＰアドレスなど）を読み取って、当該読み取った、動画像データＩＤと合成データＩＤとに基づいて、データ記憶サーバ４で記憶している動画像データと合成データとを取得する。そして動画像データを端末６のＩＰアドレス宛にストリーミングにより配信するとともに（ステップＳ３１３）、合成データを端末６へ送信する（ステップＳ３１４）。
【００３４】
端末６の動画像再生処理部２４は、配信サーバ５から送信されるストリーミングデータのパケットを受信して、複数のパケットにより、順次、動画像を構築して、編集用画面上の動画像再生領域へ表示する（ステップＳ３１５）。これにより動画像が再生される。また端末６の動画像再生処理部２４は、配信サーバ５から受信した合成データの合成タイミングの時刻をスケジュール情報に格納されている情報内から検出し、動画像の再生開始の時間から経過した時刻が、検出した合成タイミング時刻になったかを判定する（ステップＳ３１６）。そして、動画像の再生開始の時間から経過した時刻が、検出した合成タイミング時刻になったと判定すると、合成データを画面上の動画像再生領域へ表示する（ステップＳ３１７）。これにより合成データが動画像データに合成されて表示される。
【００３５】
図９は編集用画面を示す図である。
この図が示すように端末６に表示される編集用画面においては、編集対象の番組内に含まれる動画像データのサンプル画像を１つまたは複数表示させることのできる動画像データのサンプル画像表示領域と、動画像データの再生時間長の範囲のどのタイミングで合成データを動画像データに合成させるのかを設定するためのインジケータと、合成タイミングに対応するインジケータ内の位置に合成データのサンプル画像を表示する合成タイミング指定領域と、番組内の動画像が再生される再生動画像表示領域とが存在する。
【００３６】
今、端末６に、図９で示したような編集用画面が表示されているとする。ユーザは、この編集用画面上において、合成タイミング指定領域に表示されている合成データのサンプル画像を、インジケータ内で左右に移動させることができる。そして、インジケータ内の合成タイミングの位置（動画像の再生開始時刻からの経過時間）を合成タイミング指定領域内で変更操作することにより、その合成データの動画像への合成タイミングを自由に変更することができる。また、ユーザは、合成タイミングの変更と共に、編集用画面を利用して、動画像データの動画像への合成データの追加、他の合成データへの変更を、動画像データのサンプル画像表示領域に表示されている各サンプル画像の動画像データそれぞれについて行うことができる。また、番組内のある動画像データを他の動画像データへ変更することもできる。これらの編集処理については、端末６の編集処理部２８が受け付け（ステップＳ３１８）、メモリ等に記録されているスケジュール情報の内容を、編集内容に書き換える（ステップＳ３１９）。例えば合成データが追加になった場合には、スケジュール情報内の合成データの記載領域に、追加された合成データのＩＤを書き込み、また合成データの合成タイミングが変更になった場合には、その合成タイミングの時刻の情報を書き換える。
【００３７】
そして、編集完了後、ユーザによる編集用画面上の保存ボタンの押下を検出すると（ステップＳ３２０）、端末６の新規番組登録部２９は、編集処理部２８によって変更されたスケジュール情報を格納した番組登録要求を、動画像配信管理サーバ１へ送信する（ステップＳ３２１）。そして、変更されたスケジュール情報を受信した動画像配信管理サーバ１の動画像編集処理部１４は、新たなスケジュールＩＤを生成し（ステップＳ３２２）、当該スケジュールＩＤと、端末６より受信したスケジュール情報を、番組サーバ３に対応付けて登録する（ステップＳ３２３）。これにより編集処理が完了する。
【００３８】
なお番組登録要求は、具体的には、上述した編集アプリケーションプログラムの起動要求と同様に、動画像配信管理サーバ１のＵＲＬに、編集であることを示す識別子の引数と、番組を作成したユーザ自身の端末６からの番組登録要求かまたは番組を作成したユーザ以外のユーザの端末６からの番組登録要求かを示す識別子の引数が加えられた情報である。そして、動画像配信管理サーバ１の動画像編集処理部１４は、それら引数によって、番組登録要求が、端末６で再生している動画像の番組を作成したユーザから受け付けたのか、または番組を作成したユーザ以外の他のユーザから受け付けたのかを検知する。そして動画像の番組を作成したユーザ以外から受け付けていると判定した場合には、新規登録として、新たなスケジュールＩＤを生成して、端末６から受信したスケジュール情報を、新たに生成したスケジュールＩＤに対応付けて番組サーバ３に記録している。他方、番組登録要求が、番組を作成したユーザ自身の操作する端末６から受信している場合には、受信したスケジュール情報で示されるスケジュールＩＤに基づいて、番組サーバ３で記憶しているスケジュール情報を更新する処理を行う。
【００３９】
そして、ステップＳ３２３によって登録されたスケジュール情報に基づく番組が配信が端末６に対して行われた場合には、端末６上において、上記の処理によって編集された番組内の動画像データが再生されることとなる。
【００４０】
以上の処理によれば、元の番組を作成したユーザ以外の他のユーザが、番組内の動画像データを端末６で再生し、その動画像について編集して、新たな番組として登録する際には、当該端末６を利用する編集者となるユーザの作成した番組として、自動的に登録される。従って、あるユーザが、他のユーザの作成した番組の編集を行うような場合における、編集作業後の番組登録時に、自身の編集した番組として登録する作業効率を向上させることができる。
【００４１】
また、上述の処理によれば、元の番組を作成したユーザ以外の他のユーザが、番組内の動画像データを端末６で再生し、その動画像について編集して、編集元の番組に基づく新たな番組を作成しようとした際に、元の番組の構成、つまり動画像データが幾つ含まれているか、どの動画像にどの合成データがどの合成タイミングで表示されるのかの、番組の構成が、図９で示した編集用画面によって瞬時に、また容易に把握することができる。これによって、元の番組構成を手本として、編集した他の新たな番組を容易に作成することができるため、ユーザの編集作業の効率性と容易性を向上させることができる。
【００４２】
また、上述の処理によれば、図９で示した編集用画面にを利用して、合成データのサンプル画像の合成タイミングを移動するだけで、番組内の動画像データに基づく動画像に、元の番組とは異なる合成タイミングでの合成データの合成をさせる編集処理を容易に行うことができる。
【００４３】
また、他人の作成した番組を元に、より良い番組へと編集する作業を行いたいユーザがいるような場合には、その元の番組の動画像データや合成データの選択や、合成データの合成タイミングの設定を、一からやり直す必要がなく、元の番組に自分の味付けを行うことができるので、そのユーザの編集作業において容易にまた効率よく作業できるような環境を備えることができ、ある番組から様々な関連番組が作成されて閲覧可能となるような新たなメディアサービスを提供することができるようになる。
【００４４】
なお、上述の端末や各サーバは内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４５】
そして上述の「コンピュータシステム」は、ホームページ提供環境（あるいは表示環境）を備えたＷＷＷシステムも含むものとする。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４６】
【図１】動画像編集装置を備えた動画像配信システムの構成を示す図である。
【図２】動画像配信管理サーバの機能ブロック図である。
【図３】スケジュール情報を示す図である。
【図４】スケジュール情報を示す図である。
【図５】番組再生処理の処理フローを示す図である。
【図６】番組表示画面のインタフェースを示す図である。
【図７】番組編集処理の処理フローを示す第１の図である。
【図８】番組編集処理の処理フローを示す第２の図である。
【図９】編集用画面を示す図である。
【符号の説明】
【００４７】
１・・・動画像配信管理サーバ
２・・・アップロードサーバ
３・・・番組サーバ
４・・・データ記憶サーバ
５・・・配信サーバ
６・・・端末
【図１】
0005324108.tif 000002
【図２】
0005324108.tif 000003
【図３】
0005324108.tif 000004
【図４】
0005324108.tif 000005
【図５】
0005324108.tif 000006
【図６】
0005324108.tif 000007
【図７】
0005324108.tif 000008
【図８】
0005324108.tif 000009
【図９】
0005324108.tif 000010